(57)【要約】【課題】  ＰＯＮ型光分岐線路において、所外設備のみで分岐光ファイバ特性を個別に測定可能で、分岐光ファイバ長差が1mより短い場合でも測定可能とする。【解決手段】  符号及び波長の異なる第一及び第二試験光をパルス化し合波して被測定光ファイバに入射し、当該被測定光ファイバ内の分岐光ファイバそれぞれの反射による戻り光を抽出し、その戻り光から第一試験光を抽出し、抽出される第一試験光をローカル光で検波して光ビート信号を取得し、この光ビート信号を受光して第一試験光に発生する誘導ブリルアン後方散乱光を測定する。その測定において、被測定光ファイバの分岐点から終端までのＮ心の分岐光ファイバについて、それぞれの長さの最小の差が分岐光ファイバ識別分解能ΔＬより長い場合に、第一及び第二試験光とローカル光の符号を変化させつつ誘導ブリルアン後方散乱光を測定することで、分岐光ファイバの特性を解析する。【選択図】      図１
2015078859.tif 000002
【特許請求の範囲】
【請求項１】
基幹光ファイバの一方端を光スプリッタによってＮ（Ｎは２以上の自然数）系統に分岐し、前記光スプリッタの分岐端部それぞれに分岐光ファイバの一方端を光結合し、各被測定光ファイバの分岐光ファイバ特性を解析する分岐光ファイバ特性解析装置であって、
レーザによる連続光を第一試験光、第二試験光、ローカル光の波形に符号化して出力する光源モジュールと、
前記第一試験光及び前記ローカル光の光周波数を変更する光周波数変更手段と、
前記光周波数変更手段の出力光から前記第一試験光と前記ローカル光とを分岐する分岐手段と、
前記光周波数の変更を受けた第一試験光をパルス化する第１のパルス化手段と、
前記第二試験光をパルス化する第２の光パルス化手段と、
それぞれ前記符号化されパルス化された第一試験光及び第二試験光を合波する合波素子と、
前記被測定光ファイバの複数の分岐光ファイバそれぞれの他方端に配置され、前記第一及び第二試験光の波長を反射し、それ以外の波長の光を透過する複数の光反射フィルタと、
前記合波素子で合波された試験光を前記被測定光ファイバの基幹光ファイバに入射し、当該基幹光ファイバの入射端から出射される戻り光を抽出する光サーキュレータと、
前記第一試験光及び第二試験光の前記被測定光ファイバへの入射タイミングを一致させる光遅延手段と、
前記第一試験光を前記分岐手段で分岐されるローカル光で検波して前記第一試験光と前記ローカル光との光ビート信号を得る検波手段と、
前記光ビート信号を受光して電気信号に変換する光受信器と、
前記電気信号から前記第一試験光に発生する誘導ブリルアン後方散乱光を測定して前記被試験光ファイバの特性を解析する演算処理装置と
を具備し、
前記演算処理装置は、前記光スプリッタによる分岐点から前記光反射フィルタまでのＮ心の分岐光ファイバについて、それぞれの長さの最小の差が分岐光ファイバ識別分解能ΔＬより長い場合に、前記光源モジュールで生成される第一及び第二試験光とローカル光の符号を変化させつつ、前記誘導ブリルアン後方散乱光を測定することで、前記分岐光ファイバの特性を解析することを特徴とする分岐光ファイバ特性解析装置。
【請求項２】
前記光周波数変更手段は、前記第一試験光及び第二試験光の周波数差が、前記被測定光ファイバ内で誘導ブリルアン後方散乱光が生じるブリルアン周波数シフト量に相当するように変更することを特徴とする請求項１記載の分岐光ファイバ特性解析装置。
【請求項３】
前記光源モジュールは、注入電流に基づいて前記連続光のレーザを発生し、前記注入電流により前記連続光を任意波形に変調する光源と、前記光源への注入電流を前記第一試験光、第二試験光及びローカル光それぞれの変調波形に合わせて連続的に変化させ、前記第１及び第２の光パルス化手段により時間分割することで、符号化した第一及び第二試験光及びローカル光を発生することを特徴とする請求項１記載の分岐光ファイバ特性解析装置。
【請求項４】
前記演算処理装置は、
前記第一及び第二試験光による誘導ブリルアン散乱を測定し、
前記複数の分岐光ファイバそれぞれの距離に対するブリルアン散乱光分布を測定し、
前記測定結果それぞれから前記複数の分岐光ファイバにおける個別の損失分布を解析することを特徴とする請求項１記載の分岐光ファイバ特性解析装置。
【請求項５】
前記演算処理装置は、
前記第一及び第二試験光の符号を指定することで、前記被試験光ファイバ中における前記分岐光ファイバ終端からの誘導ブリルアン散乱位置を指定し、
前記第一試験光及びローカル光の符号を指定することで、前記被試験光ファイバのどの分岐光ファイバから反射された第一試験光に対応する電気信号であるかを特定し、得られた電気信号から誘導ブリルアン散乱光を解析した後、その解析結果を出力する解析処理を実行し、
前記Ｎ系統の分岐光ファイバのうち最長の分岐光ファイバからの前記第一試験光が到達するまで待機した後、前記第一及び第二試験光及びローカル光の符号を変更して前記解析処理を繰り返して前記分岐光ファイバそれぞれの損失分布を取得することを特徴とする請求項１記載の分岐光ファイバ特性解析装置。
【請求項６】
基幹光ファイバの一方端を光スプリッタによってＮ（Ｎは２以上の自然数）系統に分岐し、前記光スプリッタの分岐端部それぞれに分岐光ファイバの一方端を光結合し、各被測定光ファイバの分岐光ファイバ特性を解析する分岐光ファイバ特性解析方法であって、
レーザによる連続光を第一試験光、第二試験光、ローカル光の波形に符号化し、
前記第一試験光及び前記ローカル光の光周波数を所定周波数変更し、
前記光周波数変更出力光から前記第一試験光と前記ローカル光とを分岐し、
前記光周波数の変更を受けた第一試験光をパルス化し、
前記第二試験光をパルス化し、
それぞれ前記符号化されパルス化された第一試験光及び第二試験光を合波し、
前記被測定光ファイバの複数の分岐光ファイバそれぞれの他方端に、前記第一及び第二試験光の波長を反射し、それ以外の波長の光を透過する複数の光反射フィルタを配置し、
前記合波された試験光を前記被測定光ファイバの基幹光ファイバに入射し、当該基幹光ファイバの入射端から出射される戻り光を抽出し、
前記第一試験光及び第二試験光の前記被測定光ファイバへの入射タイミングを一致させ、
前記戻り光から前記第一試験光を抽出し、
前記戻り光から抽出される第一試験光を前記分岐されたローカル光で検波して前記第一試験光と前記ローカル光との光ビート信号を得て、
前記光ビート信号を受光して電気信号に変換し、
前記電気信号から前記第一試験光に発生する誘導ブリルアン後方散乱光を測定して前記被試験光ファイバの特性を解析するようにし、
前記光スプリッタによる分岐点から前記光反射フィルタまでのＮ心の分岐光ファイバについて、それぞれの長さの最小の差が分岐光ファイバ識別分解能ΔＬより長い場合に、前記第１及び第２試験光とローカル光の符号を変化させつつ、前記誘導ブリルアン後方散乱光を測定することで、前記分岐光ファイバの特性を解析することを特徴とする分岐光ファイバ特性解析方法。
【請求項７】
前記第一及び第二試験光の周波数差を、前記被測定光ファイバ内で誘導ブリルアン後方散乱光が生じるブリルアン周波数シフト量に相当させることを特徴とする請求項６記載の分岐光ファイバ特性解析方法。
【発明の詳細な説明】
【技術分野】
【０００１】
本発明は、例えばＰＯＮ（Passive Optical Network）型の光線路において、光スプリッタで分岐された各分岐光ファイバの特性を個別に測定し解析する分岐光ファイバ特性解析装置とその解析方法に関する。
【背景技術】
【０００２】
光ファイバなどの光線路を使用する光通信システムでは、光線路の故障を検出し、または、故障位置を特定するために光パルス線路監視装置が用いられる。光パルス線路監視装置は、光が光線路内を伝搬するに伴い、その光と同じ波長の後方散乱光が生じて逆方向に伝搬することを利用する。すなわち、光線路に試験光として光パルスを入射すると、この光パルスが破断点に到達するまで後方散乱光を発生し続け、試験光と同じ波長の戻り光が光パルスを入射した光線路の端面から出射される。この後方散乱光の継続時間を測定することにより、光線路の破断位置を特定することが可能となるものである。この原理に基づく監視装置としては、ＯＴＤＲ（Optical Time Domain Reflectometer）が代表的である。
【０００３】
しかしながら、従来の光パルス線路監視装置では、ＰＯＮ（Passive Optical Network）型の光分岐線路については、光スプリッタからユーザ装置側に位置する分岐光ファイバを、あるいは光デバイス（例えば反射型フィルタ）、スプリッタやファイバ接続部品など、光線路に接続されている光装置の状態を、個別に識別することは困難である。すなわち、通信事業者設備ビルから敷設されている幹線光ファイバが光スプリッタにより複数の光ファイバに分岐されるため、試験光も光スプリッタによる複数の光ファイバに分岐され、光スプリッタによる分岐後の各光ファイバ（以下、「分岐下部光ファイバ」）に一様に分配される。その後、各光ファイバ心線からの戻り光が入射端に戻る際、光スプリッタで重なり合ってしまう。このため、入射端で観測されるＯＴＤＲ波形からは、どの分岐光ファイバに故障が生じているかを識別できなくなる。このように既存の光パルス線路監視装置は基本的に１本の光線路に対してのみ有効であり、光分岐線路に対しては、そのまま適用することはできない。
【０００４】
そこで、光分岐線路に対する光パルス線路監視装置の適用を可能とするための技術が提案されている。（非特許文献１、特許文献１、非特許文献２参照）
非特許文献１では、試験光を反射する光フィルタをターミネーションフィルタとしてユーザ装置の手前に設置し、各ユーザからの反射光の強度を高分解能なＯＴＤＲ装置により測定するというものである。この測定によれば、光スプリッタより下流の分岐光ファイバにおける距離分解能として２ｍの精度を得られることが報告されている。しかしながら、この技術では、故障心線の特定と、ユーザ装置か光線路のどちらが故障しているかといった故障位置の切り分けが可能であるにとどまっており、分岐下部光ファイバのどの位置で故障が発生しているかを特定することができない。
【０００５】
特許文献１では、光スプリッタとして、光の多光束干渉を利用するアレイ導波路による回折格子型の波長合分波器を用い、波長可変光源により試験光の波長を切り替えて被試験光線路を選択するという提案がなされている。この提案の手法によれば、波長可変光源の波長を掃引し、反射光の波長を光反射処理部で検出し、その波長を基準に試験光の波長を設定することで、試験光の波長に対応付けて各光線路の個別監視を実現することができる。しかしながら、アレイ導波路による回折格子型の波長合分波器に代表される、波長ルーティング機能を持つ光分岐装置は一般的に高価であり、多くの加入者を収容するアクセス系光システムに用いることはコスト面で難しい。さらには、このような光部品は温度依存性が大きく、温度調整機能を付加する必要もあるため、システムを構築する際に必要となるコストが高くなり好ましくない。
【０００６】
非特許文献２では、ポンプ光パルスとプローブ光パルスの二つの試験光パルスを入射し、両試験光の衝突位置でのブリルアン利得を解析することにより、スプリッタ下部心線個別の損失分布を得るという提案がなされている。しかしながら、パルス法を用いたブリルアン利得解析は、分岐ファイバ識別分解能は1mより長くなる。これは、パルス法において、パルス幅がブリルアン散乱のフォノン寿命（〜1m）より狭いときに感度が著しく劣化するためである。特許文献２に記載の手法は、試験光のパルス幅より長い分岐光ファイバ長差がないと測定できない。そのため、集合住宅などの隣同士が近く、分岐ファイバ長差が1mより短い場合には測定できない。
【先行技術文献】
【特許文献】
【０００７】
【特許文献１】特開平７-８７０１７号公報
【非特許文献】
【０００８】
【非特許文献１】Y. Enomoto et al., "Over 31.5dB dynamic range optical fiber line testing system with optical fiber fault isolation function 32dB-branched PON", OFC2003 Technical Digest, paper ThAA3(2003), pp. 608-610
【非特許文献２】H. takahashi et al., "Individual fault location in PON using pulsed pump-probe Brillouin analysis", Electronics letters, vol.47, pp.1384-1385(2011).
【非特許文献３】梶原康嗣“光波コヒーレンス関数の合成法による長尺ファイバブラッググレーティングングのブラッグ波長分布測定システム”http://repository.dl.itc.u-tokyo.ac.jp/dspace/bitstream/2261/29062/1/37066461.pdf
【発明の概要】
【発明が解決しようとする課題】
【０００９】
そこで、ＰＯＮ型の光分岐線路において、光スプリッタからユーザ装置側の分岐下部光ファイバ、および光スプリッタなどの光デバイス装置を監視するにあたり、新たに光デバイスや光線路構成を変更することなく（既設設備を変更することによりコストをかけることなく）、所外既設設備（同一特性の分岐光ファイバと同一波長光反射フィルタ）を使用するのみで分岐光ファイバ特性を個別に測定ことを可能とし、分岐光ファイバ長差が1mより短い場合でも測定可能な技術が求められている。
【００１０】
本発明は、上記の事情に着目してなされたもので、ＰＯＮ型光分岐線路において、所内既設設備の光デバイスや光線路構成を変更せずに、所外設備のみで分岐光ファイバ特性を個別に測定することができ、分岐光ファイバ長差が1mより短い場合でも測定することのできる分岐光ファイバ特性解析装置及びその解析方法を提供することを目的とする。
【課題を解決するための手段】
【００１１】
本発明に係る分岐光ファイバ特性解析装置は、以下のような態様の構成とする。  
（１）基幹光ファイバの一方端を光スプリッタによってＮ（Ｎは２以上の自然数）系統に分岐し、前記光スプリッタの分岐端部それぞれに分岐光ファイバの一方端を光結合し、各被測定光ファイバの分岐光ファイバ特性を解析する分岐光ファイバ特性解析装置であって、レーザによる連続光を第一試験光、第二試験光、ローカル光の波形に符号化して出力する光源モジュールと、前記第一試験光及び前記ローカル光の光周波数を変更する光周波数変更手段と、前記光周波数変更手段の出力光から前記第一試験光と前記ローカル光とを分岐する分岐手段と、前記光周波数の変更を受けた第一試験光をパルス化する第１のパルス化手段と、前記第二試験光をパルス化する第２の光パルス化手段と、それぞれ前記符号化されパルス化された第一試験光及び第二試験光を合波する合波素子と、前記被測定光ファイバの複数の分岐光ファイバそれぞれの他方端に配置され、前記第一及び第二試験光の波長を反射し、それ以外の波長の光を透過する複数の光反射フィルタと、前記合波素子で合波された試験光を前記被測定光ファイバの基幹光ファイバに入射し、当該基幹光ファイバの入射端から出射される戻り光を抽出する光サーキュレータと、前記第一試験光及び第二試験光の前記被測定光ファイバへの入射タイミングを一致させる光遅延手段と、前記第一試験光を前記分岐手段で分岐されるローカル光で検波して前記第一試験光と前記ローカル光との光ビート信号を得る検波手段と、前記光ビート信号を受光して電気信号に変換する光受信器と、前記電気信号から前記第一試験光に発生する誘導ブリルアン後方散乱光を測定して前記被試験光ファイバの特性を解析する演算処理装置とを具備し、前記演算処理装置は、前記光スプリッタによる分岐点から前記光反射フィルタまでのＮ心の分岐光ファイバについて、それぞれの長さの最小の差が分岐光ファイバ識別分解能ΔＬより長い場合に、前記光源モジュールで生成される第１及び第２試験光とローカル光の符号を変化させつつ、前記誘導ブリルアン後方散乱光を測定することで、前記分岐光ファイバの特性を解析する態様とする。
【００１２】
（２）（１）において、前記光周波数変更手段は、前記第１試験光及び第２試験光の周波数差が、前記被測定光ファイバ内で誘導ブリルアン後方散乱光が生じるブリルアン周波数シフト量に相当するように変更する態様とする。
【００１３】
（３）（１）において、前記光源モジュールは、注入電流に基づいて前記連続光のレーザ光を発生し、前記注入電流により前記連続光を任意波形に変調する光源と、前記光源への注入電流を前記第一試験光、第二試験光及びローカル光それぞれの変調波形に合わせて連続的に変化させ、前記第１及び第２の光パルス化手段により時間分割することで、符号化した第一及び第二試験光及びローカル光を発生する態様とする。
【００１４】
（４）（１）において、前記演算処理装置は、前記第１及び第２試験光による誘導ブリルアン散乱を測定し、前記複数の分岐光ファイバそれぞれの距離に対するブリルアン散乱光分布を測定し、前記測定結果それぞれから前記複数の分岐光ファイバにおける個別の損失分布を解析する態様とする。
【００１５】
（５）（１）において、前記演算処理装置は、前記第一及び第二試験光の符号を指定することで、前記被試験光ファイバ中における前記分岐光ファイバ終端からの誘導ブリルアン散乱位置を指定し、前記第一試験光及びローカル光の符号を指定することで、前記被試験光ファイバのどの分岐光ファイバから反射された第一試験光に対応する電気信号であるかを特定し、得られた電気信号から誘導ブリルアン散乱光を解析した後、その解析結果を出力する解析処理を実行し、前記Ｎ系統の分岐光ファイバのうち最長の分岐光ファイバからの前記第一試験光が到達するまで待機した後、前記第一及び第二試験光及びローカル光の符号を変更して前記解析処理を繰り返して前記分岐光ファイバそれぞれの損失分布を取得する態様とする。
【００１６】
また、本発明に係る光線路特性解析方法は、以下のような態様の構成とする。  
（６）基幹光ファイバの一方端を光スプリッタによってＮ（Ｎは２以上の自然数）系統に分岐し、前記光スプリッタの分岐端部それぞれに分岐光ファイバの一方端を光結合し、各被測定光ファイバの分岐光ファイバ特性を解析する分岐光ファイバ特性解析方法であって、レーザによる連続光を第一試験光、第二試験光、ローカル光の波形に符号化し、前記第一試験光及び前記ローカル光の光周波数を所定周波数変更し、前記光周波数変更出力光から前記第一試験光と前記ローカル光とを分岐し、前記光周波数の変更を受けた第一試験光をパルス化し、前記第二試験光をパルス化し、それぞれ前記符号化されパルス化された第一試験光及び第二試験光を合波し、前記被測定光ファイバの複数の分岐光ファイバそれぞれの他方端に、前記第一及び第二試験光の波長を反射し、それ以外の波長の光を透過する複数の光反射フィルタを配置し、前記合波された試験光を前記被測定光ファイバの基幹光ファイバに入射し、当該基幹光ファイバの入射端から出射される戻り光を抽出し、前記第一試験光及び第二試験光の前記被測定光ファイバへの入射タイミングを一致させ、前記第一試験光を前記分岐されたローカル光で検波して前記第一試験光と前記ローカル光との光ビート信号を得て、前記光ビート信号を受光して電気信号に変換し、当該電気信号から前記第一試験光に発生する誘導ブリルアン後方散乱光を測定して前記被試験光ファイバの特性を解析するようにし、前記光スプリッタによる分岐点から前記光反射フィルタまでのＮ心の分岐光ファイバについて、それぞれの長さの最小の差が分岐光ファイバ識別分解能ΔＬより長い場合に、前記第１及び第２試験光とローカル光の符号を変化させつつ、前記誘導ブリルアン後方散乱光を測定することで、前記分岐光ファイバの特性を解析する態様とする。
【００１７】
（７）（６）において、前記第一及び第二試験光の周波数差を、前記被測定光ファイバ内で誘導ブリルアン後方散乱光が生じるブリルアン周波数シフト量に相当させる態様とする。
【発明の効果】
【００１８】
以上のように、この発明によれば、光スプリッタ下部側における個別の分岐光ファイバの特性分布を取得するために、各分岐光ファイバ長が異なることと、分岐光ファイバそれぞれの終端に試験光波長を反射する光反射フィルタを備えることのみを条件としているため、現在のＰＯＮ型光線路を一切取り替えることなく低コストで精密に測定可能であり、必要となる分岐光ファイバ長が1mより短い場合でも測定可能な分岐光ファイバ特性解析装置及びその解析方法を提供することができる。
【図面の簡単な説明】
【００１９】
【図１】本発明の一実施形態に係る分岐光ファイバ特性解析装置の構成を示すブロック図である。
【図２】図１に示す解析装置の光符号化器において、第一試験光、第二試験光及びローカル光をそれぞれ符号化する任意波形を示す波形図。
【図３】図１に示す解析装置で解析される距離−損失分布の例を示す特性図である。
【図４】図１に示す解析装置の第一試験光と第二試験光との間に生じるブリルアン利得の相関ピークの変化を示す波形図。
【発明を実施するための形態】
【００２０】
の図面を参照して本発明の実施の形態を説明する。以下に説明する実施の形態は本発明の構成の例であり、本発明は、以下の実施の形態に制限されるものではない。  
図１は、本発明の実施形態に係る分岐光ファイバ特性解析装置の構成を示す図である。図１に示す解析装置は、第一試験光が被測定ファイバ中で受けたブリルアン利得の特性分布を求めることができるものである。
【００２１】
光源１１から出力されたレーザによる連続光は分岐素子１２により分岐される。この分岐された光の一方を第一試験光(プローブ光)、他方を第二試験光(ポンプ光)とする。ここで、上記光源１１は、上記第一試験光、第二試験光に続いてローカル光を出力する。また、上記光源１１は、光符号化器１３からの波形信号に基づいて出力光を適宜符号化する。光符号化器１３は、具体的には、光源１１のレーザ注入電流を任意波形で変調するように構成され、第一試験光、第二試験光及びローカル光をそれぞれ符号化する任意波形を、図２に示すように、時間的に連続で出力する。このとき、光源１１からは、第一試験光、第二試験光、ローカル光が順次連続して出力される。
【００２２】
第一試験光は、光周波数変更器１４により光周波数をfBだけ変化させる。光周波数変更器１４は、具体的には駆動する正弦波発生器１５からの信号周波数に応じて変調側波帯の周波数が変化する機能を持つ外部変調器であればよく、LiNbO3を用いた位相変調器、振幅変調器やＳＳＢ変調器でよい。
【００２３】
上記光周波数変更器１４の出力光は分岐素子１６によって２系統に分岐され、その一方の分岐光は、光パルス化器１７で図２に示す第一試験光部分が抽出されてパルス化される。また、上記第二試験光は、光遅延器１８で所定時間遅延された後、光パルス化器１９で図２に示す第二試験光部分が抽出されてパルス化され、光増幅器２０で増幅された後、合波素子２１にて、パルス化された第一試験光と合波される。
【００２４】
すなわち、光源１１の出力光は、光パルス化器１７により、符号化した第一試験光のみにパルス化され、パルス化器１９により、符号化した第二試験光のみにパルス化される。このとき、光遅延器１８によって第一試験光と第二試験光の入射時間差を調整し、合波素子２１により符号化した第一試験光と符号化した第二試験光を合波し、サーキュレータ２２を通過して被測定光ファイバ２３に入射する。ここで、光遅延器１８は、第一試験光と第二試験光の被試験光ファイバに入射する時間差をゼロにできればよく、光ファイバ自体で長さを調整すればよい。
【００２５】
上記被測定光ファイバ２３は、基幹光ファイバ２３０と光スプリッタ２３１と分岐光ファイバ２３２１〜２３２Ｎ（Ｎは２以上の自然数）と分岐光ファイバ終端に設置された光反射フィルタ２３３１〜２３３Ｎにより構成される。光スプリッタ２３１でＮ分岐された第一試験光と第二試験光は、分岐光ファイバ２３２１〜２３２Ｎ中のそれぞれでインタラクションし、第一試験光はブリルアン増幅を受ける。このブリルアン増幅を受けた第一試験光と第二試験光は光サーキュレータ２２に到達し、光フィルタ２４により第一試験光のみが光ヘテロダイン受信器２５に到達し、分岐素子１６で第１試験光から分岐されたローカル光と合波した後、光受信器２６で受信される。
【００２６】
光受信器２６からの出力電流は、Ａ／Ｄ変換器２７でデジタル信号に変換されてから、演算処理装置２８に入力される。演算処理装置２８は、入力された電流値に対して下記で説明する分岐ファイバ情報の分離方法、ブリルアン利得解析方法、分布測定方法の演算処理を行い、例えば図３（ａ）〜（ｃ）に示すような距離に対する損失分布を求める。
【００２７】
次に上述した本実施形態の分岐光ファイバ特性解析装置の動作について説明する。  
まず、光符号化器１３、光周波数変更器１４、被測定光ファイバ２３、光受信器２６には次の条件を満足する必要がある。  
（条件１）光符号化器１３において、第一試験光を符号化する符号φn(t)と第二試験光を符号化する符号Ψn(t)とは、所望の時間差ｔにおいて常に周波数差f1（f1は０を含む任意の数）が一定であり、それ以外の時間差において周波数差が一定でないこと。  
（条件２）光周波数変更器１４による周波数シフトは、ブリルアン周波数シフトfBと条件１記載の符号間周波数差f1との差周波数と等しいこと。  
（条件３）第一試験光を符号化する光符号化手段の符号φn(t)とローカル光を符号化する光符号化器１３の符号θn(t)は、所望の時間差ｔにおいて相関が１であり、それ以外の時間差において相関が０であること。  
（条件４）分岐光ファイバ２３２１〜２３２Ｎの最小のファイバ長差が、分岐光ファイバ識別分解能ΔLより長いこと。  
（条件５）光受信器２６の帯域は、（条件１）の周波数差f1を受光可能な帯域であること。
【００２８】
ここで、条件１〜５は次のような意味を持っている。  
条件１は、所望の位置zのみのブリルアン利得情報を取得するための条件である。  
光符号化器１３の符号特性が上記の場合、被測定光ファイバ２３中の所望の位置zにおいて、条件２と合わせることで、第一試験光と第二試験光の周波数差が常にブリルアン周波数シフトと等しくなるため、符号長に渡ってブリルアン増幅を受ける。それ以外の位置では、第一試験光と第二試験光の周波数差が揺らぐため、符号長に渡って常にブリルアン増幅を受けるわけではない。そのため、第一試験光の符号長に渡って積分することで、所望の位置zでのブリルアン利得を取得可能である。
【００２９】
条件２は、第二試験光により第一試験光がブリルアン増幅を受けるために必要となる条件である。また、条件３および条件４は、分岐光ファイバ２３２１〜２３２Ｎの個別の損失情報を取得するために必要な条件である。
光符号化器１３の符号特性が上記の場合、分岐光ファイバ終端の光反射フィルタ２３３１〜２３３Ｎで反射されて戻ってきた第一試験光を、符号θn(t)で変調したローカル光と符号長に渡って相関をとることで、任意の分岐光ファイバ２３２１〜２３２Ｎから戻ってきた第一試験光の強度を得ることが可能となる。  
条件５は、光符号を精確に測定するためには、光受信器２６の帯域は、Ａ／Ｄ変換器２７の帯域は、それぞれ条件１の周波数差f1より広い必要がある。
【００３０】
上記の条件１〜５を満足する場合の、本発明を用いた分岐光ファイバの特性解析方法を説明する。  
波長の異なる二つの試験光（第一試験光、第二試験光）を用いる。第一試験光はプローブ光であり、光周波数ｆ0−ｆBとする。第二試験光はポンプ光であり、光周波数ｆ0とする。ここで、ｆ0はポンプ光の光周波数、ｆBはブリルアン後方散乱による光周波数シフト量とする。  
符号化した第一試験光と符号化した第二試験光を被測定光ファイバ２３に入射する。  
第一試験光と第二試験光は、光スプリッタ２３１によりＮ分岐される。
【００３１】
(i) ブリルアン利得解析方法  
第一試験光（プローブ光）と第二試験光（ポンプ光）の周波数がｆBだけ差がある場合、第一試験光と第二試験光が対向伝搬すると、ブリルアン散乱が発生し、第一試験光は式(1) で表される増幅を受ける。  
【００３２】
【数１】
2015078859.tif 000003
ここで、αBはブリルアン利得、ｇBはブリルアン散乱係数、ｚcは分岐光ファイバ入射端から第一試験光と第二試験光がインタラクションした位置までの距離、Ｉpump(z)は分岐光ファイバ入射端から距離zだけ離れた位置における第二試験光（ポンプ光）の強度、ｔcは符号長、ｖは光ファイバ中の光速である。
【００３３】
ｉ（Ｎ＝ｉ）番目の分岐光ファイバ２３２ｉの心線＃iの損失係数をαi、分岐光ファイバ２３２ｉの心線＃iを往復する場合の全損失を１−Ｄiとすると、終端の光反射フィルタ２３３ｉで反射された後、分岐光ファイバ２３２ｉの入射端に入射する第一試験光の強度Ｉprobe(２Ｌi)は、式(2)で表される。  
【００３４】
【数２】
2015078859.tif 000004
式（2）より、分岐ファイバ入射端での第一試験光の強度Ｉprobe(２Ｌi)は、Ｉpump(z)のみの関数となる。  
ここで、Ｉpump(z)は、式(3)で表される。  
【００３５】
【数３】
2015078859.tif 000005
よって、式(2)は、式(3)を用いると式(4)として表される。  
【００３６】
【数４】
2015078859.tif 000006
上記（4）式を用いてブリルアン利得を解析することにより、インタラクションした場所までの損失を取得することができる。上記の各分岐光ファイバ２３２ｉからの戻りの光Ｉprobe(2Li)は、光スプリッタ２３１から光受信器２６までの光ファイバにより同じ損失を受ける。よって、ブリルアン利得を解析すれば、線路損失を測定することができる。
【００３７】
(ii)分布測定方法  
第一試験光の符号化をφn(t)、第二試験光の符号化をψn(t)とすると、φn(t)とψn(t)は、ある時間差ｔのときのみ周波数差がｆBで一定であり、それ以外の時間差において周波数差が一定でない符号である。
被測定光ファイバ２３の入射端から分岐下部光ファイバ＃a（１≦ａ≦Ｎの整数）の終端までの長さをＬaとする。符号化された第一試験光は、分岐下部光ファイバ＃aの終端に設置された光反射フィルタにより反射される。反射して戻ってきた第一試験光と第二試験光は対向伝搬し、被測定ファイバ２３中でインタラクションする。ここで、第一試験光の符号をφ1〜φnまで変化させ、第二試験光の符号をψ1〜ψnまで変化させる。
【００３８】
例えば、以下のように周波数変調した場合を考える。  
【数５】
2015078859.tif 000007
Δｆは符号化の変調振幅、ｆmnはｎ番目の変調周波数、Θは初期位相である。このとき、φnとψnで符号化した第一試験光と第二試験光を被測定光ファイバ２３中に入射した場合、図４（ｃ）に示すように、周波数差が一定の位置が周期的に表れる。この間隔をｄmnとすると、  
【００３９】
【数６】
2015078859.tif 000008
となる。この位置z（相関ピーク位置）において、図４（ａ）〜（ｄ）に示すように、第一試験光と第二試験光は周波数差がブリルアン周波数シフトと等しくなるため、符号長に渡ってブリルアン増幅を受ける。ここで、式(6)より、変調周波数ｆmnを変化させることで間隔ｄmnが変わり、相関ピーク位置を変化できる。または、式(5)のψnの初期位相Θを変化させることでも相関ピーク位置を変化させることができる。そのため、変調周波数fmnまたは初期位相Θを変化させながら測定を繰り返すことで、ブリルアン利得の分布情報を取得することが可能である。
【００４０】
(iii)分岐ファイバの分離方法  
第一試験光の符号φn(t)とローカル光の符号θn(t)は、ある時間差ｔ1のときのみ相関が１であり、それ以外の時間差ｔ2において相関が０となる符号である。  
【００４１】
【数７】
2015078859.tif 000009
但し、演算子・はベクトルの内積を表している。
第一試験光が分岐光ファイバ＃aの終端の光反射フィルタで反射され、光受信器２６に到達する時間をｔdaとすると、式(8)で表される。  
【００４２】
【数８】
2015078859.tif 000010
ここで、Ｌaは入射端から分岐下部ファイバ＃aの終端の光反射フィルタまでの距離である。
他の分岐光ファイバ＃b（１≦ｂ≦Ｎの整数）から戻ってきた第一試験光が光受信器２６に到達する時間ｔdbは、式(9)で表される。  
【００４３】
【数９】
2015078859.tif 000011
よって、＃a、＃bから光受信器２６に戻る第一試験光の時間差は、式(10)で表される。  
【００４４】
【数１０】
2015078859.tif 000012
Ｌa ≠ Ｌbのとき、異なる分岐光ファイバから反射されて戻ってきた第一試験光が光受信器２６に到達する時間が異なる。ここで、異なる分岐光ファイバから戻ってきた、符号化された第一試験光は、光スプリッタ２３１で合波される。異なる分岐光ファイバから戻ってきた第一試験光が光スプリッタ２３１で合波されるとき、符号の位相はずれている。光受信器２６側へ戻ってきた第一試験光は、以下の式で与えられる。  
【００４５】
【数１１】
2015078859.tif 000013
そこで、分岐＃Ｎから戻ってきた第一試験光に合わせて、ローカル光の符号θN(t)を生成する。  
【００４６】
【数１２】
2015078859.tif 000014
このとき、θa(t)と受信した信号の相関を取ることで、分岐＃ａの位置zでのブリルアン利得が得られる。また、θb(t)と受光した信号の相関を取ることで、分岐＃ｂの位置zでのブリルアン利得が得られる。つまり、受光側へ戻ってきた第一試験光Ｉdと符号θN(t)の相関を取ることで、分岐下部光ファイバの情報を分離して取得可能である。
【００４７】
ここで、非特許文献３（第３．３節の式(3.28)）によると、分岐光ファイバを分離識別する分解能は、符号化した第一試験光の符号特性により決まる。符号化した第一試験光は、符号同士の相関により復号する。式(5)で符号化した場合の分岐光ファイバを識別する分解能（分岐光ファイバ識別分解能）ΔLは、  
【００４８】
【数１３】
2015078859.tif 000015
となる。このため、分岐光ファイバ識別分解能は、パルス幅ではなく、符号特性により決まるため、分岐光ファイバ識別分解能をフォノン寿命より短くすることが可能となる。式(13)より、Δfを５０ＭＨz以上で変調することで、分岐光ファイバ識別分解能を１ｍより短くすることができる。
【００４９】
つまり、光受信側で得られた第一試験光を、初期位相を変化させて復号化することで、分岐毎の情報に分離することが可能となる。また、正弦波変調を用いた場合、Δfを５０ＭＨz以上で変調することで、分岐ファイバ識別分解能は１ｍより短くすることが可能であり、Δfを５ＧＨzにすることで、約１ｃｍの分岐光ファイバ識別分解能を実現することができる。
【００５０】
以上のように、本実施形態によれば、(i)〜(iii)の各測定結果と、条件(1)〜(5)を満たした場合、ＰＯＮ型光分岐線路の分岐下部光ファイバの個別の損失分布測定が、既設所外設備（光スプリッタと分岐光ファイバと分岐光ファイバ終端に設置された光反射フィルタ）の構成のみで測定可能であり、分岐光ファイバ識別分解能は１ｍより短くすることができる。
【００５１】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【符号の説明】
【００５２】
１１…光源、１２…分岐素子、１３…光符号化器、１４…光周波数変更器、１５…正弦波発生器、１６…分岐素子、１７…光パルス化器、１８…光遅延器、１９…光パルス化器、２０…光増幅器、２１…合波素子、２３…被測定光ファイバ、２３０…基幹光ファイバ、２３１…Ｎ分岐光スプリッタ、２３２１〜２３２Ｎ…分岐光ファイバ、２３３１〜２３３Ｎ…光反射フィルタ、２４…光フィルタ、２５…光ヘテロダイン受信器、２６…光受信器、２７…Ａ／Ｄ変換器、２８…演算処理装置。
【図１】
2015078859.tif 000016
【図２】
2015078859.tif 000017
【図３】
2015078859.tif 000018
【図４】
2015078859.tif 000019